(57)【要約】【課題】魚などを傷つけずに飼育可能な水槽Ａを提供する。【解決手段】本発明の水槽Ａは、内部に水などの収容空間Ｓを形成する水槽本体１と、前記水槽本体１の収容空間Ｓに通じるように開口する開口部２とを具備する水槽Ａにおいて、前記開口部２の一部を閉塞し、前記水槽本体１を補強する補強部材３、４と、前記補強部材３、４にて前記開口部２を閉塞した状態で開口する前記開口部２１を開閉可能に蓋閉する蓋部材５Ａ、５Ｂ、５Ｃ、５Ｄ、５Ｅ、５Ｆと、前記蓋部材５Ａ、５Ｂ、５Ｃ、５Ｄ、５Ｅ、５Ｆにて前記開口部２１を蓋閉した状態で、前記蓋部材５Ａ、５Ｂ、５Ｃ、５Ｄ、５Ｅ、５Ｆと前記補強部材３、４との段差を解消する段差解消手段６とを有し、前記蓋部材５Ａ、５Ｂ、５Ｃ、５Ｄ、５Ｅ、５Ｆにて前記開口部２１を蓋閉した状態で、前記収容空間Ｓ側に前記蓋部材５Ａ、５Ｂ、５Ｃ、５Ｄ、５Ｅ、５Ｆと前記補強部材３、４との段差が表出することを防止した。【選択図】図３
2010279268.tif 000002
【特許請求の範囲】
【請求項１】
内部に水などの収容空間を形成する水槽本体と、
前記水槽本体の収容空間に通じるように開口する開口部とを具備する水槽において、
前記開口部の一部を閉塞し、前記水槽本体を補強する補強部材と、
前記補強部材にて前記開口部を閉塞した状態で開口する前記開口部を開閉可能に蓋閉する蓋部材と、
前記蓋部材にて前記開口部を蓋閉した状態で、前記蓋部材と前記補強部材との段差を解消する段差解消手段とを有し、
前記蓋部材にて前記開口部を蓋閉した状態で、前記収容空間側に前記蓋部材と前記補強部材との段差が表出することを防止したことを特徴とする水槽。
【請求項２】
内部に水などの収容空間を形成する水槽本体と、
前記水槽本体の収容空間に通じるように開口する開口部とを具備する水槽において、
前記開口部の一部を閉塞し、前記水槽本体を補強する補強部材と、
前記補強部材にて前記開口部を閉塞した状態で開口する前記開口部を開閉可能に蓋閉する蓋部材とを有し、
前記蓋部材にて前記開口部を蓋閉した状態で、前記収容空間側の閉塞面を、略面一とすることを特徴とする請求項１記載の水槽。
【請求項３】
前記収容空間側の蓋閉面を略面一とした前記蓋部材を具備し、
前記蓋部材を前記補強部材よりも前記収容空間側に位置させた状態にて前記開口部を前記蓋部材を用いて蓋閉することを特徴とする請求項１又は２記載の水槽。
【請求項４】
前記収容空間側から補強部材に向かっての衝撃を吸収する衝撃吸収手段を設けたことを特徴とする請求項１乃至請求項３記載の水槽。
【請求項５】
蓋閉状態において前記蓋部材を前記補強部材よりも前記収容空間側に位置させると共に、前記蓋部材と前記補強部材との間に間隙を設けた状態にて前記開口部を前記蓋部材にて蓋閉する構成としていることを特徴とする請求項４記載の水槽。
【請求項６】
前記蓋部材と前記補強部材との間に設けた間隙に、衝撃吸収部材を設けていることを特徴とする請求項５記載の水槽。
【請求項７】
前記蓋部材を、可撓性を有する部材にて構成していることを特徴とする請求項１乃至請求項６記載の水槽。
【請求項８】
前記蓋部材の蓋閉状態において開閉可能な窓部を前記蓋部材に設けていることを特徴とする請求項１乃至請求項７記載の水槽。
【請求項９】
前記蓋部材と蛍光灯などの照明装置との間に間隙を設けた状態にて前記開口部を前記蓋部材にて蓋閉することを特徴とする請求項１乃至請求項８記載の水槽。
【請求項１０】
前記蓋部材を蓋閉状態にて固定する固定手段を具備し、
前記固定手段を、前記照明装置を設置する設置箇所を回避した位置に設けていることを特徴とする請求項１乃至請求項９記載の水槽。
【請求項１１】
複数の前記蓋部材を具備し、
前記開口部の一部のみを前記蓋部材にて開口可能としていることを特徴とする請求項１乃至請求項１０記載の水槽。
【請求項１２】
前記蓋部材の反りを防止する反り防止手段を設けたことを特徴とする請求項１乃至請求項１１記載の水槽。
【発明の詳細な説明】
【技術分野】
【０００１】
本発明は、観賞用の魚などを飼育する際に利用する水槽に関するものである。
【背景技術】
【０００２】
従来、観賞用の魚などを飼育するために利用される水槽は、内部に水や魚などを収容するための収容空間を形成した水槽本体を有している。この水槽本体は、魚や餌などの出し入れのために上部を開口した筐体であり、当該開口部は、蓋部材を用いて開閉可能としている。
【０００３】
更に、このような水槽は、内部の水圧などによる変形などを防止し、水槽本体の強度を増すために、対向する壁面同士を横架して連結する補強桟などの補強部材を用いることが多い。（例えば、特許文献１）
【先行技術文献】
【特許文献】
【０００４】
【特許文献１】特開平１１−１５５４１６
【発明の概要】
【発明が解決しようとする課題】
【０００５】
しかしながら、前記蓋部材は、前記補強部材の上に載置して前記水槽本体の開口部を蓋閉するため、蓋部材の下面から補強部材が収容空間側に突出してしまい、収納空間側に補強部材が表出し閉塞面に段差が生じる。よって、補強部材の角が収容空間側、つまり、魚の居住空間側に表出してしまう。これにより、補強部材の角に魚が衝突し、魚が傷ついてしまうという不具合が生じていた。観賞用の魚の中には、餌の捕食のために水面に向って飛び跳ねる習性を有する魚も多く、アロワナなどの高級な観賞魚に至っては、当該衝撃傷が生じることは深刻な悩みであった。
【課題を解決するための手段】
【０００６】
本発明は、以上の課題を解決するために次のような手段を講じたものである。
【０００７】
すなわち、本発明の水槽は、内部に水などの収容空間を形成する水槽本体と、前記水槽本体の収容空間に通じるように開口する開口部とを具備する水槽において、前記開口部の一部を閉塞し、前記水槽本体を補強する補強部材と、前記補強部材にて前記開口部を閉塞した状態で開口する前記開口部を開閉可能に蓋閉する蓋部材と、前記蓋部材にて前記開口部を蓋閉した状態で、前記蓋部材と前記補強部材との段差を解消する段差解消手段とを有し、前記蓋部材にて前記開口部を蓋閉した状態で、前記収容空間側に前記蓋部材と前記補強部材との段差が表出することを防止したことを特徴とする。
【０００８】
これにより、補強部材による水槽本体の補強効果を発揮しながらも、補強部材の角を閉塞空間側に表出させないことで、魚などの衝突による負傷を激減することが可能となる。
【０００９】
また、収容空間を広く確保し、更に魚などの衝突による負傷を減少させるためには、内部に水などの収容空間を形成する水槽本体と、前記水槽本体の収容空間に通じるように開口する開口部とを具備する水槽において、前記開口部の一部を閉塞し、前記水槽本体を補強する補強部材と、前記補強部材にて前記開口部を閉塞した状態で開口する前記開口部を開閉可能に蓋閉する蓋部材とを有し、前記蓋部材にて前記開口部を蓋閉した状態で、前記収容空間側の閉塞面を、略面一とする。
【００１０】
具体的な態様としては、前記収容空間側の蓋閉面を略面一とした前記蓋部材を具備し、前記蓋部材を前記補強部材よりも前記収容空間側に位置させた状態にて前記開口部を前記蓋部材を用いて蓋閉することが望ましい。
【００１１】
更に、前記収容空間側から補強部材に向かっての衝撃を吸収する衝撃吸収手段を設けることにより、魚などが補強部材に衝突して負傷することを好適に防止することができる。
【００１２】
また、簡易に前記衝撃吸収手段を構成するためには、蓋閉状態において前記蓋部材を前記補強部材よりも前記収容空間側に位置させると共に、前記蓋部材と前記補強部材との間に間隙を設けた状態にて前記開口部を前記蓋部材にて蓋閉する構成とすることが望ましい。
【００１３】
加えて、前記蓋部材と前記補強部材との間に設けた間隙に、衝撃吸収部材を設けることにより、衝撃吸収度が飛躍的に向上する。
【００１４】
更に、前記蓋部材を、可撓性を有する部材にて構成することで、蓋部材が魚などを保護する保護部材の役割を果たし、蓋部材に衝突した場合であっても好適に魚などを保護することが可能となる。
【００１５】
また、前記蓋部材の蓋閉状態において開閉可能な窓部を前記蓋部材に設けることにより、例えば、餌やりなどの際に蓋部材を開ける手間を省いて容易に作業を行うことができる。
【００１６】
加えて、前記蓋部材と蛍光灯などの照明装置との間に間隙を設けた状態にて前記開口部を前記蓋部材にて蓋閉することにより、前記照明装置の熱などを起因とする蓋部材の変形を効果的に防止することができる。
【００１７】
更に、前記蓋部材を蓋閉状態にて固定する固定手段を具備し、前記固定手段を、前記照明装置を設置する設置箇所を回避した位置に設けていることで、前記照明装置を好適な姿勢にて設置することが可能となる。
【００１８】
また、複数の前記蓋部材を具備し、前記開口部の一部のみを前記蓋部材にて開口可能とすることにより、水やりや水槽清掃など、作業の必要に応じた開口面積を選択可能とすることができる。更には、不必要な部分まで開口せずに済むため、例えば、コオロギなどの生きた餌や飼育している魚が水槽の外に出てしまう危険性を回避することが可能となる。
【００１９】
加えて、経時変化などによる前記蓋部材の変形を防止するためには、前記蓋部材の反りを防止する反り防止手段を設けることが望ましい。
【発明の効果】
【００２０】
本発明は、以上説明した構成であるから、補強部材による水槽本体の補強効果を発揮しながらも、補強部材の角を閉塞空間側に表出させないことで、魚などの衝突による負傷を激減することが可能となる。
【図面の簡単な説明】
【００２１】
【図１】本発明の実施形態に係る水槽の平面図。
【図２】同実施形態に係る水槽の正面図。
【図３】同実施形態に係る水槽のＡ−Ａ線部分拡大断面図。
【図４】同実施形態に係る水槽のＢ−Ｂ線部分拡大断面図。
【図５】第二実施形態に係る水槽の平面図。
【図６】第二実施形態に係る水槽の正面図。
【図７】第二実施形態に係る水槽のＣ−Ｃ線部分拡大断面図。
【図８】第二実施形態に係る水槽のＤ−Ｄ線部分拡大断面図。
【図９】第三実施形態に係る水槽の平面図。
【図１０】第三実施形態に係る水槽の正面図。
【図１１】第三実施形態に係る水槽のＥ−Ｅ線部分拡大断面図。
【図１２】第三実施形態に係る水槽のＦ−Ｆ線部分拡大断面図。
【発明を実施するための形態】
【００２２】
以下、本発明の一実施形態を、図面を参照して説明する。
【００２３】
図１は、本発明の水槽Ａの平面図である。図２は、水槽本体１などを想像線にて描いた水槽Ａの正面図である。
【００２４】
図１に示すように、本発明の水槽Ａは、内部に水などの収容空間Ｓを形成する水槽本体１と、前記水槽本体１の収容空間Ｓに通じるように開口する開口部２とを具備する水槽Ａにおいて、前記開口部２の一部を閉塞し、前記水槽本体１を補強する補強部材３、４と、前記補強部材３、４にて前記開口部２を閉塞した状態で開口する前記開口部２１を開閉可能に蓋閉する蓋部材５Ａ、５Ｂ、５Ｃ、５Ｄ、５Ｅ、５Ｆと、前記蓋部材５Ａ、５Ｂ、５Ｃ、５Ｄ、５Ｅ、５Ｆにて前記開口部２１を蓋閉した状態で、前記蓋部材５Ａ、５Ｂ、５Ｃ、５Ｄ、５Ｅ、５Ｆと前記補強部材３、４との段差を解消する段差解消手段６とを有し、前記蓋部材５Ａ、５Ｂ、５Ｃ、５Ｄ、５Ｅ、５Ｆにて前記開口部２１を蓋閉した状態で、前記収容空間Ｓ側に前記蓋部材５Ａ、５Ｂ、５Ｃ、５Ｄ、５Ｅ、５Ｆと前記補強部材３、４との段差が表出することを防止した。
【００２５】
本実施形態においては、前記開口部２の一部を閉塞し、前記水槽本体１を補強する補強部材３、４と、前記補強部材３、４にて前記開口部２を閉塞した状態で開口する前記開口部２１を開閉可能に蓋閉する蓋部材５Ａ、５Ｂ、５Ｃ、５Ｄ、５Ｅ、５Ｆとを有し、前記蓋部材５Ａ、５Ｂ、５Ｃ、５Ｄ、５Ｅ、５Ｆにて前記開口部２１を蓋閉した状態で、前記収容空間Ｓ側の閉塞面Ｂを、略面一として段差解消手段６を構成している。
【００２６】
また、本実施形態においては、補強部材として枠部材３と補強桟４を用いている。更には、魚などが衝突した際の衝撃を吸収するため、前記収容空間Ｓ側から補強部材３、４に向かっての衝撃を吸収する衝撃吸収手段７として第一間隙部７１を設けている。また、蛍光灯などの照明装置Ｒの熱源から前記蓋部材５Ａ、５Ｂ、５Ｃ、５Ｄ、５Ｅ、５Ｆを保護するために、照明装置Ｒと蓋部材５Ａ、５Ｂ、５Ｃ、５Ｄ、５Ｅ、５Ｆとの間に第二間隙部８を設けている。前記蓋部材５Ａ、５Ｂ、５Ｃ、５Ｄ、５Ｅ、５Ｆは、前記第一間隙部７１や第二間隙部８を確保した状態で、着脱可能に固定する固定手段９を用いて補強部材３、４に固定可能としている。また、当該水槽Ａは、前記収容空間Ｓ内に濾過装置などを収容するコーナー部材１０を設置している。尚、本実施形態においては、観賞用の魚などを好適に視認可能とするために、主として透明の部材にて水槽Ａを形成している。
【００２７】
以下、各構成について詳述する。
【００２８】
水槽本体１は、透明のガラスにて内部を視認可能に構成した筐体である。底面を形成する底壁１１と、当該底壁１１から垂直に起立する周壁、具体的には、対向する一対の正面壁１２及び背面壁１３と、対向する一対の左右側壁１４，１５とからなる周壁にて構成した上向き開口の直方体であり、その内部に水や魚などを収容する収容空間Ｓを形成している。
【００２９】
開口部２は、前記底壁１１と対向する位置を上向きに開口している。当該開口部２は、前記収容空間Ｓと通じており、当該開口部２を介して水や魚の入れ替えなどを行う。
【００３０】
枠部材３は、前記水槽本体１の周壁と直交し、各周壁から収容空間Ｓ側に向って突出する額縁状の部材である。本実施の形態においては、前記水槽本体１に前記開口部２の一部を閉塞する状態で固定されており、水槽本体１を補強する補強部材としての機能を発揮する。更に、この枠部材３は、前記蓋部材５Ａ、５Ｂ、５Ｃ、５Ｄ、５Ｅ、５Ｆの取り付け部材としても機能する。この枠部材３は、中央部を開口した平面視ロの字形状を成す板材である。尚、当該枠部材３は、一体物でも分割して固定したものでもよい。当該補強桟４は、前記蓋部材５Ａ、５Ｂ、５Ｃ、５Ｄ、５Ｅ、５Ｆよりも厚みが厚く、堅牢性を有する部材にて構成している。
【００３１】
補強桟４は、前記枠部材３の上方に後述する固定手段９により着脱可能に固定される平面視長方形状の平板材である。当該補強桟４は、長手寸法を前記水槽本体１の対向壁（正面壁１２と背面壁１３）の内側面の間の距離と同様の寸法としており、当該補強桟４の端を前記水槽本体１の対向壁の内側面に当接した状態に横架させて取り付ける。当該補強桟４を取り付けた状態においては、前記開口部２の一部を閉塞し前記水槽本体１を補強する。本実施形態においては、等間隔に配置した複数の補強桟４を用いている。一対の補強桟４は、前記水槽本体１の両側壁の内側面に、その側端を当接した位置に取り付ける。また、他の補強桟４は、前記蓋部材５Ａ、５Ｂ、５Ｃ、５Ｄ、５Ｅ、５Ｆの側端近傍の位置に取り付ける。つまり、前記蓋部材５Ａ、５Ｂ、５Ｃ、５Ｄ、５Ｅ、５Ｆの蓋閉状態において蓋部材５Ａ、５Ｂ、５Ｃ、５Ｄ、５Ｅ、５Ｆの両側端の上方に位置する位置に取り付ける。当該補強桟４は、前記枠部材３や蓋部材５Ａ、５Ｂ、５Ｃ、５Ｄ、５Ｅ、５Ｆよりも厚みが厚く、堅牢性を有する部材にて構成している。
【００３２】
蓋部材５Ａ、５Ｂ、５Ｃ、５Ｄ、５Ｅ、５Ｆは、蓋閉状態において、前記収容空間Ｓ側の閉塞面Ｂを略面一としており、主として可撓性を有する透明の板材にて構成している。本実施形態においては、複数の前記蓋部材５Ａ、５Ｂ、５Ｃ、５Ｄ、５Ｅ、５Ｆを具備し、前記開口部２の一部のみを開口可能としている。具体的には、第一蓋部材５Ａ、第二蓋部材５Ｂ、第三蓋部材５Ｃ、第四蓋部材５Ｄ、第五蓋部材５Ｅ、第六蓋部材５Ｆからなる複数の蓋部材５Ａ、５Ｂ、５Ｃ、５Ｄ、５Ｅ、５Ｆを具備し、各蓋部材５Ａ、５Ｂ、５Ｃ、５Ｄ、５Ｅ、５Ｆを独立して開閉できる構成としている。全ての蓋部材５Ａ、５Ｂ、５Ｃ、５Ｄ、５Ｅ、５Ｆを蓋閉した状態において、前記開口部２と略同形を成すように構成している。更には、当該蓋部材５Ａ、５Ｂ、５Ｃ、５Ｄ、５Ｅ、５Ｆの端部を前記水槽本体１の周壁やコーナー部材１０の側周面に当接した状態にて蓋閉可能としている。
【００３３】
第一蓋部材５Ａ、第二蓋部材５Ｂ、第三蓋部材５Ｃは、同じ構成を有しており、蓋閉時において水槽Ａを使用する使用者側に配置される。本実施形態においては、前記開口部２を覆う蓋本体５１と、当該蓋本体５１の中央部に設けた開口部５２を開閉可能な窓部５３と、前記蓋本体５１の反りを防止する反り防止手段５４とを具備している。
【００３４】
蓋本体５１は、水槽Ａの内部を視認可能な透明の部材である。また、前記補強桟４よりも薄い可撓性を有する板材にて構成しており、魚などが当該蓋部材５Ａ、５Ｂ、５Ｃ、５Ｄ、５Ｅ、５Ｆに衝突した際に魚を保護する保護部材としての機能も発揮する。当該蓋本体５１は、平板材であり、その下面、つまり収容空間Ｓ側の蓋閉面５ａに凹凸のない略面一の水平面を形成している。
【００３５】
窓部５３も、前記蓋本体５１と同様に水槽Ａの内部を視認可能な透明の部材であり、開閉可能な蓋要素５３１と、当該蓋要素５３１を開閉する際に使用者が握持する持ち手要素５３２と、当該蓋要素５３１が蓋閉姿勢から脱離することを防止する脱離防止要素５３３とを有している。
【００３６】
蓋要素５３１は、その下面に前記蓋本体５１の厚みに対応した段差部を形成している。そして、当該段差部により形成した下向き凸部５３１ａを前記蓋本体５１に設けた開口部５２に嵌合することにより、蓋要素５３１にて蓋本体５１に設けた開口部５２を蓋閉した状態にて、前記蓋本体５１と当該蓋要素５３１の下面、つまり収容空間Ｓ側の閉塞面Ｂが、略面一となるように構成している。
【００３７】
持ち手要素５３２は、前記蓋要素５３１の上面、つまり、反収容空間Ｓ側の閉塞面Ｂから垂直方向に突出する凸部である。
【００３８】
脱離防止要素５３３は、前記蓋要素５３１にて蓋閉した際に、当該蓋閉姿勢を維持するためのものである。具体的には、水平方向の脱離を防止する垂直壁５３３ａと、当該垂直壁５３３ａの上端から当該垂直壁５３３ａと直交する方向に伸び、蓋要素５３１が上方向に脱離することを防止する水平壁５３３ｂとからなる。尚、前記蓋要素５３１を前記蓋本体５１に設けた開口部５２に勘合する際には、当該脱離防止要素５３３の下に前記蓋要素５３１を潜り込ませてスライドし蓋要素５３１の凸部５３１ａを蓋本体５１に設けた開口部５２に嵌合する。
【００３９】
反り防止手段５４は、前記蓋部材５Ａ、５Ｂ、５Ｃ、５Ｄ、５Ｅ、５Ｆ本体の端部を垂直方向に起立させた起立部５４１にて構成している。本実施形態においては、対向する蓋部材５Ａ、５Ｂ、５Ｃ、５Ｄ、５Ｅ、５Ｆの突き合わせ位置を起立させて構成している。尚、直角に曲げた曲げ板を前記蓋部材５Ａ、５Ｂ、５Ｃ、５Ｄ、５Ｅ、５Ｆ本体の端部に取り付けて構成してもよい。本実施形態においては、前記窓部５３の蓋要素５３１にも起立部５３１ｂを形成して反り防止手段を設けている。
【００４０】
第四蓋部材５Ｄ乃至第六蓋部材５Ｆは、反使用者側の開口部２を蓋閉する蓋部材である。
【００４１】
第四蓋部材５Ｄは、コーナー部材１０側の近傍を蓋閉する蓋部材であり、その蓋本体５１は、前記コーナー部材１０を回避する形状を成している。蓋閉状態において蓋本体５１の端部は、コーナー部材１０の側周面に当接する。よって、コーナー部材１０の上端は、蓋部材５Ａ、５Ｂ、５Ｃ、５Ｄ、５Ｅ、５Ｆの上面よりも上方に位置する。その他の蓋本体５１の構成及び反り防止手段５４の構成は、前記第一蓋部材５Ａ乃至第三蓋部材５Ｃと同様である。
【００４２】
第五蓋部材５Ｅ及び第六蓋部材５Ｆは、前記第一蓋部材５Ａ乃至第三蓋部材５Ｃと同様の構成を有する蓋本体５１と反り防止手段５４を具備している。尚、前記照明装置Ｒは、当該第五蓋部材５Ｅ及び第六蓋部材５Ｆの上方に設置するため、照明装置Ｒを外した状態おいても、開口部２の蓋閉状態は維持される。
【００４３】
衝撃吸収手段７は、前記収容空間Ｓ側から補強部材３、４に向かっての衝撃を吸収する。本実施形態においては、蓋閉状態において前記蓋部材５Ａ、５Ｂ、５Ｃ、５Ｄ、５Ｅ、５Ｆを前記補強部材３、４よりも前記収容空間Ｓ側に位置させると共に、前記蓋部材５Ａ、５Ｂ、５Ｃ、５Ｄ、５Ｅ、５Ｆと前記補強部材３、４との間に第一間隙部７１を設けた状態にて前記開口部２１を前記蓋部材５Ａ、５Ｂ、５Ｃ、５Ｄ、５Ｅ、５Ｆにて蓋閉する構成とすることで、衝撃を吸収する。
【００４４】
第一間隙部７１は、前記蓋部材５Ａ、５Ｂ、５Ｃ、５Ｄ、５Ｅ、５Ｆと前記枠部材３や補強桟４との間に設けた補強部材間隙部である。具体的には、前記蓋部材５Ａ、５Ｂ、５Ｃ、５Ｄ、５Ｅ、５Ｆと前記枠部材３や補強桟４からなる補強部材３、４との間に間隙を設けた状態にて前記開口部２１を前記蓋部材５Ａ、５Ｂ、５Ｃ、５Ｄ、５Ｅ、５Ｆにて蓋閉する。本実施形態においては、前記枠部材３と前記蓋部材５Ａ、５Ｂ、５Ｃ、５Ｄ、５Ｅ、５Ｆとの間隙を後述する衝撃吸収部材７２にて形成し、前記補強桟４と前記蓋部材５Ａ、５Ｂ、５Ｃ、５Ｄ、５Ｅ、５Ｆとの間隙を前記衝撃吸収部材７２及び枠部材３の厚みにて形成している。
【００４５】
衝撃吸収部材７２は、前記枠部材３と前記蓋部材５Ａ、５Ｂ、５Ｃ、５Ｄ、５Ｅ、５Ｆとの間に取り付けられる。具体的には、蓋閉状態において、前記枠部材３の下面と前記蓋部材５Ａ、５Ｂ、５Ｃ、５Ｄ、５Ｅ、５Ｆの上面との間に位置する。当該衝撃吸収部材７２は、弾力性を有するクッション材であり、その中央部に後述するナット部材９１を嵌め合わせる貫通穴を開口している。
【００４６】
第二間隙部８は、前記蓋部材５Ａ、５Ｂ、５Ｃ、５Ｄ、５Ｅ、５Ｆと蛍光灯などの照明装置Ｒとの間に設けた照明装置間隙部である。前記蓋部材５Ａ、５Ｂ、５Ｃ、５Ｄ、５Ｅ、５Ｆと蛍光灯などの照明装置Ｒとの間に間隙を設けた状態にて前記開口部２１を前記蓋部材５Ａ、５Ｂ、５Ｃ、５Ｄ、５Ｅ、５Ｆにて蓋閉する。本実施形態においては、前記蓋部材５Ａ、５Ｂ、５Ｃ、５Ｄ、５Ｅ、５Ｆと照明装置Ｒとの間隙を前記衝撃吸収部材７２、枠部材３、補強桟４の厚みにて形成している。
【００４７】
固定手段９は、前記蓋部材５Ａ、５Ｂ、５Ｃ、５Ｄ、５Ｅ、５Ｆを蓋閉姿勢にて固定する機能を有している。本実施形態においては、当該固定手段９は、前記蓋部材５Ａ、５Ｂ、５Ｃ、５Ｄ、５Ｅ、５Ｆを着脱可能に枠部材３及び補強桟４に固定する。具体的には、ナット部材９１、ボルト部材９２、ボルト止め部材９３を用いて止着する。前記枠部材３、補強桟４の各々の対応位置にはボルト部材９２を螺合するナット孔を開口している。また、蓋部材５Ａ、５Ｂ、５Ｃ、５Ｄ、５Ｅ、５Ｆの上面には、前記ナット部材９１を固着している。尚、ボルト部材９２は、透明のアクリル材により構成している。
【００４８】
当該固定手段９は、前記蓋部材５Ａ、５Ｂ、５Ｃ、５Ｄ、５Ｅ、５Ｆの隅部近傍に設けられている。また、前記コーナー部材１０を設ける開口部２を蓋閉する蓋部材（第四蓋部材５Ｄ）においては、当該コーナー部材１０を避けた位置に固定手段９を設ける。更に、前記蛍光灯などの照明装置Ｒの下方に位置する蓋部材（第五蓋部材５Ｅ、第六蓋部材５Ｆ）においては、照明装置Ｒの設置場所となる補強桟４を避けた位置に固定手段９を設ける。よって、蓋部材を枠部材３のみに固定する。ボルト止め部材９３は、固定状態における高さ寸法を前記補強桟４の厚み寸法よりも短くしている。これにより、蛍光灯などの照明装置Ｒの下面がボルト止め部材９３に干渉しない。尚、当該固定手段９は、蓋部材５Ａ、５Ｂ、５Ｃ、５Ｄ、５Ｅ、５Ｆを固定した状態においても、一定の遊びを維持し、衝撃などによる移動を許容する構造としている。
【００４９】
コーナー部材１０は、前記水槽本体１の隅部に取り付けられ、濾過装置などを覆う役割を果たす。当該コーナー部材１０は、魚などの飼育空間側に角を形成しない湾曲形状を成している。上部には開閉可能な蓋部材１０１を取り付けており、当該蓋部材１０１には、配線を通す配線孔１０２を設けている。当該配線孔１０２は、ゴムなどの弾力性を有する部材の一部を切り込むことで構成している。
【００５０】
次に、前記蓋部材５Ａ、５Ｂ、５Ｃ、５Ｄ、５Ｅ、５Ｆにて前記開口部２を蓋閉する工程について説明する。
【００５１】
まず、各蓋部材５Ａ、５Ｂ、５Ｃ、５Ｄ、５Ｅ、５Ｆをスライドしながら前記枠部材３の下に位置させる。その際には、前記ナット部材９１の外周に前記衝撃吸収部材７２を取り付けておく。そして、所定位置に前記補強桟４を配置し、前記ボルト部材９２及びボルト止め部材９３を用いて前記蓋部材５Ａ、５Ｂ、５Ｃ、５Ｄ、５Ｅ、５Ｆを枠部材３や補強桟４に固定する。蓋部材５Ａ、５Ｂ、５Ｃ、５Ｄ、５Ｅ、５Ｆの蓋閉状態、つまり、固定手段９により固定した状態においては、図３に示すように、蓋部材５Ａ、５Ｂ、５Ｃ、５Ｄ、５Ｅ、５Ｆの上面と枠部材３の下面、枠部材３の上面と補強桟４の下面が当接した状態で固定される。よって、前記収容空間Ｓ側の蓋閉面５ａを略面一とした前記蓋部材５Ａ、５Ｂ、５Ｃ、５Ｄ、５Ｅ、５Ｆが、補強部材３、４である枠部材３や補強桟４よりも前記収容空間Ｓ側に位置した状態にて前記開口部２を前記蓋部材５Ａ、５Ｂ、５Ｃ、５Ｄ、５Ｅ、５Ｆを用いて蓋閉する。このように、上から、補強桟４、枠部材３、蓋部材５Ａ、５Ｂ、５Ｃ、５Ｄ、５Ｅ、５Ｆの順に配置される。したがって、蓋閉状態においては、収容空間Ｓ側の閉塞面Ｂには略面一な前記蓋部材５Ａ、５Ｂ、５Ｃ、５Ｄ、５Ｅ、５Ｆの下面（収容空間Ｓ側面）が表出することとなる。よって、蓋部材５Ａ、５Ｂ、５Ｃ、５Ｄ、５Ｅ、５Ｆと補強部材３、４の段差が解消され、当該段差が収容空間Ｓ側に表出することを防止した状態にて蓋部材５Ａ、５Ｂ、５Ｃ、５Ｄ、５Ｅ、５Ｆを蓋閉する。
【００５２】
以上に詳述した通り、本発明の水槽Ａは、内部に水などの収容空間Ｓを形成する水槽本体１と、前記水槽本体１の収容空間Ｓに通じるように開口する開口部２とを具備する水槽Ａにおいて、前記開口部２の一部を閉塞し、前記水槽本体１を補強する補強部材３、４と、前記補強部材３、４にて前記開口部２を閉塞した状態で開口する前記開口部２１を開閉可能に蓋閉する蓋部材５Ａ、５Ｂ、５Ｃ、５Ｄ、５Ｅ、５Ｆと、前記蓋部材５Ａ、５Ｂ、５Ｃ、５Ｄ、５Ｅ、５Ｆにて前記開口部２１を蓋閉した状態で、前記蓋部材５Ａ、５Ｂ、５Ｃ、５Ｄ、５Ｅ、５Ｆと前記補強部材３、４との段差を解消する段差解消手段６とを有し、前記蓋部材５Ａ、５Ｂ、５Ｃ、５Ｄ、５Ｅ、５Ｆにて前記開口部２１を蓋閉した状態で、前記収容空間Ｓ側に前記蓋部材５Ａ、５Ｂ、５Ｃ、５Ｄ、５Ｅ、５Ｆと前記補強部材３、４との段差が表出することを防止したことを特徴とする。
【００５３】
これにより、補強部材３、４による水槽本体１の補強効果を発揮しながらも、補強部材３、４の角を閉塞空間側に表出させないことで、魚などの衝突による負傷を激減することが可能となる。
【００５４】
また、内部に水などの収容空間Ｓを形成する水槽本体１と、前記水槽本体１の収容空間Ｓに通じるように開口する開口部２とを具備する水槽Ａにおいて、前記開口部２の一部を閉塞し、前記水槽本体１を補強する補強部材３、４と、前記補強部材３、４にて前記開口部２を閉塞した状態で開口する前記開口部２を開閉可能に蓋閉する蓋部材５Ａ、５Ｂ、５Ｃ、５Ｄ、５Ｅ、５Ｆとを有し、前記蓋部材５Ａ、５Ｂ、５Ｃ、５Ｄ、５Ｅ、５Ｆにて前記開口部２を蓋閉した状態で、前記収容空間Ｓ側の閉塞面Ｂを、略面一とする。よって、収容空間Ｓを広く確保し、更に魚などの衝突による負傷を減少させることができる。
【００５５】
加えて、前記収容空間Ｓ側の蓋閉面５ａを略面一とした前記蓋部材５Ａ、５Ｂ、５Ｃ、５Ｄ、５Ｅ、５Ｆを具備し、前記蓋部材５Ａ、５Ｂ、５Ｃ、５Ｄ、５Ｅ、５Ｆを前記補強部材３、４よりも前記収容空間Ｓ側に位置させた状態にて前記開口部２を前記蓋部材５Ａ、５Ｂ、５Ｃ、５Ｄ、５Ｅ、５Ｆを用いて蓋閉しているため、閉塞面Ｂを面一とする精度を増すことが可能となる。
【００５６】
更に、前記収容空間Ｓ側から補強部材３、４に向かっての衝撃を吸収する衝撃吸収手段７を設けていることにより、魚などが補強部材３、４に衝突して負傷することを好適に防止することができる。
【００５７】
また、蓋閉状態において前記蓋部材５Ａ、５Ｂ、５Ｃ、５Ｄ、５Ｅ、５Ｆを前記補強部材３、４よりも前記収容空間Ｓ側に位置させると共に、前記蓋部材５Ａ、５Ｂ、５Ｃ、５Ｄ、５Ｅ、５Ｆと前記補強部材３、４との間に間隙を設けた状態にて前記開口部２１を前記蓋部材５Ａ、５Ｂ、５Ｃ、５Ｄ、５Ｅ、５Ｆにて蓋閉する構成としているため、簡易に前記衝撃吸収手段７を構成するためにはすることができる。
【００５８】
加えて、前記蓋部材５Ａ、５Ｂ、５Ｃ、５Ｄ、５Ｅ、５Ｆと前記補強部材３、４との間に設けた間隙に、衝撃吸収部材７２を設けていることにより、衝撃吸収度が飛躍的に向上する。
【００５９】
更に、前記蓋部材５Ａ、５Ｂ、５Ｃ、５Ｄ、５Ｅ、５Ｆを、可撓性を有する部材にて構成していることで、蓋部材５Ａ、５Ｂ、５Ｃ、５Ｄ、５Ｅ、５Ｆが魚などを保護する保護部材の役割を果たし、蓋部材５Ａ、５Ｂ、５Ｃ、５Ｄ、５Ｅ、５Ｆに衝突した場合であっても好適に魚などを保護することが可能となる。
【００６０】
また、前記蓋部材５Ａ、５Ｂ、５Ｃ、５Ｄ、５Ｅ、５Ｆの蓋閉状態において開閉可能な窓部５３を前記蓋部材５Ａ、５Ｂ、５Ｃ、５Ｄ、５Ｅ、５Ｆに設けていることにより、例えば、餌やりなどの際に蓋部材５Ａ、５Ｂ、５Ｃ、５Ｄ、５Ｅ、５Ｆを開ける手間を省いて容易に作業を行うことができる。
【００６１】
加えて、前記蓋部材５Ａ、５Ｂ、５Ｃ、５Ｄ、５Ｅ、５Ｆと蛍光灯などの照明装置Ｒとの間に間隙を設けた状態にて前記開口部２を前記蓋部材５Ａ、５Ｂ、５Ｃ、５Ｄ、５Ｅ、５Ｆにて蓋閉することにより、前記照明装置Ｒの熱などを起因とする蓋部材５Ａ、５Ｂ、５Ｃ、５Ｄ、５Ｅ、５Ｆの変形を効果的に防止することができる。
【００６２】
更に、前記蓋部材５Ａ、５Ｂ、５Ｃ、５Ｄ、５Ｅ、５Ｆを蓋閉状態にて固定する固定手段９を具備し、前記固定手段９を、前記照明装置Ｒを設置する設置箇所を回避した位置に設けていることで、前記照明装置Ｒを好適な姿勢にて設置することが可能となる。
【００６３】
また、複数の前記蓋部材５Ａ、５Ｂ、５Ｃ、５Ｄ、５Ｅ、５Ｆを具備し、前記開口部２の一部のみを前記蓋部材５Ａ、５Ｂ、５Ｃ、５Ｄ、５Ｅ、５Ｆにて開口可能とすることにより、水やりや水槽Ａ清掃など、作業の必要に応じた開口面積を選択可能とすることができる。更には、不必要な部分まで開口せずに済むため、例えば、コオロギなどの生きた餌や飼育している魚が水槽Ａの外に出てしまう危険性を回避することが可能となる。
【００６４】
加えて、前記蓋部材５Ａ、５Ｂ、５Ｃ、５Ｄ、５Ｅ、５Ｆの反りを防止する反り防止手段５４を設けているため、経時変化などによる前記蓋部材５Ａ、５Ｂ、５Ｃ、５Ｄ、５Ｅ、５Ｆの変形を防止することができる。
【００６５】
なお、各部の具体的な構成は、上述した実施形態のみに限定されるものではなく、本発明の趣旨を逸脱しない範囲で種々変形が可能である。
【００６６】
例えば、図５乃至図８の第二実施形態に示すように、前記水槽本体１の収容空間Ｓに通じるように開口する開口部２０２を具備する水槽２０Ａにおいて、枠部材と補強桟を一体に形成した補強部材２０３を用い、蓋部材２０５Ａ、２０５Ｂを、補強部材２０３に係止する構造としてもよい。
【００６７】
具体的には、補強部材２０３は、前記開口部２０２の一部を閉塞し、前記水槽本体１を補強する。
【００６８】
蓋部材２０５Ａ、２０５Ｂは、前記補強部材２０３にて前記開口部２０２を閉塞した状態で開口する前記開口部２０２１を開閉可能に蓋閉する。蓋部材は、第一蓋部材２０５Ａと第二蓋部材２０５Ｂとに分割されており、蓋部材２０５Ａ、２０５Ｂの下面に収容空間Ｓ側に突出する凸部２０ａと、当該凸部２０ａの周囲に補強部材３、４に係止する係止部２０ｂとを具備する。
【００６９】
前記凸部２０ａは、前記蓋部材２０５Ａ、２０５Ｂにて前記開口部２０２を蓋閉した状態で、前記蓋部材２０５Ａ、２０５Ｂと前記補強部材２０３との段差を解消する段差解消手段２０６としての機能を発揮する。詳述すると、蓋閉状態において、蓋部材２０５Ａ、２０５Ｂの下面（収容空間Ｓ側面）と、補強部材２０３の下面２０５ａ（収容空間Ｓ側面）とが略面一となるように、蓋部材２０５Ａ、２０５Ｂの下面から収容空間Ｓ側に向けて突出する。当該凸部２０ａの突出幅は、前記補強部材２０３の厚みと同様にし、また凸部２０ａの形状を開口部２０２の形状と同様にする。当該凸部２０ａの下面（収容空間Ｓ側面）と、補強部材２０３の下面２０３ａ（収容空間Ｓ側面）は、水平面を形成している。
【００７０】
蓋閉状態においては、蓋部材２０５Ａ、２０５Ｂの係止部２０ｂの下面が補強部材２０３の上面に当接して係止される。そして、収容空間Ｓ側の閉塞面２０Ｂには蓋部材２０５Ａ、２０５Ｂの凸部２０ａの下面、つまり蓋閉面２０５ａと補強部材２０３の下面が表出する。これにより、収容空間Ｓ側の閉塞面２０Ｂは、略面一となり、補強部材２０３の段差が収容空間Ｓ側に表出することを防止した状態にて蓋部材２０５Ａ、２０５Ｂを蓋閉する。
【００７１】
尚、水槽本体１などの他の構成は、前記実施形態と同様である。
【００７２】
更には、図９乃至図１２の第三実施形態に示すように、前記水槽本体１の収容空間Ｓに通じるように開口する開口部３０２を具備する水槽３０Ａにおいて、補強部材である枠部材３０３と補強桟３０４を用い、枠部材３０３と補強桟３０４からなる補強部材３０３、３０４を抱え込む状態で蓋部材３０５Ａ、３０５Ｂを固定し、前記蓋部材３０５Ａ、３０５Ｂにて前記開口部３０２を蓋閉した状態で、前記蓋部材３０５Ａ、３０５Ｂと前記補強部材３０３、３０４との段差を解消する段差解消手段３０６としての機能を発揮する構成としてもよい。
【００７３】
具体的には、補強部材３０３、３０４は、前記開口部３０２の一部を閉塞し、前記水槽本体１を補強する。蓋部材３０５Ａ、３０５Ｂは、前記補強部材３０３、３０４にて前記開口部３０２を閉塞した状態で開口する前記開口部３０２１を開閉可能に蓋閉する。蓋部材は、第一蓋部材３０５Ａと第二蓋部材３０５Ｂとに分割されている。
【００７４】
詳述すると、蓋部材３０５Ａ、３０５Ｂの下面（収容空間Ｓ側面）は、水平面を形成している。蓋閉状態においては、補強部材３０３、３０４の下面、つまり収容空間Ｓ側面を蓋部材３０５Ａ、３０５Ｂにて覆うため、収容空間Ｓ側の閉塞面３０Ｂには前記蓋部材３０５Ａ、３０５Ｂの下面である蓋閉面３０５ａのみが表出することなり、収容空間Ｓ側の閉塞面３０Ｂは略面一となる。
【００７５】
尚、水槽本体１などの他の構成は、前記実施形態と同様である。
【００７６】
また、可撓性を有する保護板を水槽Ａの周壁の内面に弾力性を有する衝撃吸収部材を介して取り付けることにより、周壁への衝撃吸収手段を形成することも考えられる。
【符号の説明】
【００７７】
Ａ・・・水槽
２０Ａ・・・水槽
３０Ａ・・・水槽
Ｂ・・・閉塞面
Ｓ・・・収容空間
Ｒ・・・照明装置
１・・・水槽本体
２・・・開口部
３・・・補強部材（枠部材）
４・・・補強部材（補強桟）
５Ａ・・・蓋部材（第一蓋部材）
５Ｂ・・・蓋部材（第二蓋部材）
５Ｃ・・・蓋部材（第三蓋部材）
５Ｄ・・・蓋部材（第四蓋部材）
５Ｅ・・・蓋部材（第五蓋部材）
５Ｆ・・・蓋部材（第六蓋部材）
５ａ・・・蓋閉面
６・・・段差解消手段
７・・・衝撃吸収手段
９・・・固定手段
２０Ａ・・・水槽
２０Ｂ・・・閉塞面
２１・・・開口部
３０Ａ・・・水槽
３０Ｂ・・・閉塞面
５３・・・窓部
５４・・・反り防止手段
７２・・・衝撃吸収部材
２０１・・・水槽本体
２０２・・・開口部
２０３・・・補強部材
２０５Ａ・・・蓋部材（第一蓋部材）
２０５ａ・・・蓋閉面
２０５Ｂ・・・蓋部材（第二蓋部材）
２０６・・・段差解消手段
３０１・・・水槽本体
３０２・・・開口部
３０３・・・補強部材（枠部材）
３０４・・・補強部材（補強桟）
３０５Ａ・・・蓋部材（第一蓋部材）
３０５ａ・・・蓋閉面
３０５Ｂ・・・蓋部材（第二蓋部材）
３０６・・・段差解消手段
【図１】
2010279268.tif 000003
【図２】
2010279268.tif 000004
【図３】
2010279268.tif 000005
【図４】
2010279268.tif 000006
【図５】
2010279268.tif 000007
【図６】
2010279268.tif 000008
【図７】
2010279268.tif 000009
【図８】
2010279268.tif 000010
【図９】
2010279268.tif 000011
【図１０】
2010279268.tif 000012
【図１１】
2010279268.tif 000013
【図１２】
2010279268.tif 000014